(57)【要約】【課題】スピーカの低音特性を更に向上させる。【解決手段】空間画定部（本体１２）は、二つ以上の密閉空間（内部空間２２ａ〜２２ｅ）を内部に画定する。ドライバユニット３２ａ〜３２ｕが互いに背中合わせに配置された二つのスピーカユニット１３ａ〜１３ｔは、同位相の同一の電気信号を入力することにより、振動板の駆動によって発生する反力が打ち消し合う。前記密閉空間のうち少なくとも二つは、それぞれ、二つ以上の境界振動板を有し、前記振動板が駆動されても、前記密閉空間の体積が変化しない。【選択図】図２
2019121984.tif 000002
【特許請求の範囲】
【請求項１】
三つ以上のスピーカユニット対と、
二つ以上の密閉空間を内部に画定する空間画定部と
を備え、
それぞれの前記スピーカユニット対は、二つのスピーカユニットを有し、
それぞれの前記スピーカユニットは、
二つの面を有する振動板と、
電気信号を入力して前記振動板を駆動するドライバユニットと
を有し、
すべての前記ドライバユニットは、同位相又は逆位相の同一の電気信号を入力し、
それぞれの前記スピーカユニット対において、二つの前記ドライバユニットが互いに背中合わせに配置され、同位相の同一の電気信号を入力することにより、二つの前記振動板の駆動によって発生する反力が打ち消し合い、
前記密閉空間のうち少なくとも二つは、それぞれ、二つ以上の境界振動板を有し、
それぞれの前記境界振動板は、前記振動板のいずれかであり、一方の面が前記密閉空間の内側に面し、他方の面が前記密閉空間の外側に面して配置され、
いずれかの境界振動板が前記密閉空間の外側へ向けて駆動されたとき、前記密閉空間の外側へ向けて駆動される境界振動板と、前記密閉空間の内側へ向けて駆動される境界振動板とが同数であり、これにより、前記振動板が駆動されても、前記密閉空間の体積が変化しない、
スピーカ。
【請求項２】
前記スピーカユニット対のうちの二つは、露出スピーカユニット対であり、
それ以外のスピーカユニット対は、密閉スピーカユニット対であり、
それぞれの前記露出スピーカユニット対は、二つのスピーカユニットのうち少なくとも一つが、露出スピーカユニットであり、
前記密閉スピーカユニット対は、二つの前記スピーカユニットが、密閉スピーカユニットであり、
前記露出スピーカユニットは、前記振動板の少なくともいずれかの面が外部に露出し、
前記密閉スピーカユニットは、前記振動板の二つの面が、同一の又は異なる前記密閉空間の内側に面している、
請求項１のスピーカ。
【請求項３】
二つの前記露出スピーカユニット対は、前記スピーカユニット対のうち最も離れて配置されている、
請求項２のスピーカ。
【請求項４】
隣接する二つの前記スピーカユニット対は、逆位相の同一の電気信号を入力する、
請求項１乃至３いずれかのスピーカ。
【請求項５】
前記スピーカユニット対は、一列に並べて配置されている、
請求項１乃至４いずれかのスピーカ。
【請求項６】
前記スピーカユニット対は、前記ドライバユニットが前記振動板を駆動する方向とは異なる方向に並べて配置されている、
請求項１乃至５いずれかのスピーカ。
【請求項７】
三つ以上のスピーカユニットと、
二つ以上の密閉空間を内部に画定する空間画定部と
を備え、
それぞれの前記スピーカユニットは、
二つの面を有する振動板と、
電気信号を入力して前記振動板を駆動するドライバユニットと
を有し、
すべての前記ドライバユニットは、同一の電気信号を入力し、
前記スピーカユニットは、前記ドライバユニットが前記振動板を駆動する方向に一列に並べて配置され、
前記密閉空間のうち少なくとも二つは、それぞれ、二つの境界振動板を有し、
二つの前記境界振動板は、前記振動板のうち、隣接して配置された二つの振動板であり、
それぞれの前記境界振動板は、互いに対向する内側の面が前記密閉空間の内側に面し、他方の面が前記密閉空間の外側に面して配置され、これにより、前記振動板が駆動されても、前記密閉空間の体積が変化せず、
前記振動板のうち、一番外側に配置された二つの振動板は、外側の面が外部に露出し、
それ以外の前記振動板は、二つの面が、異なる前記密閉空間の内側に面している、
スピーカ。
【発明の詳細な説明】
【技術分野】
【０００１】
本発明は、スピーカに関する。
【背景技術】
【０００２】
特許文献１及び２は、複数のスピーカユニットを組み合わせることにより、低音特性を向上したスピーカを開示している。
【先行技術文献】
【特許文献】
【０００３】
【特許文献１】特許第５７１９７１８号
【特許文献２】特許第５７１９９５８号
【発明の概要】
【発明が解決しようとする課題】
【０００４】
本発明は、スピーカの低音特性を更に向上させることを目的とする。
【課題を解決するための手段】
【０００５】
スピーカは、三つ以上のスピーカユニット対と、二つ以上の密閉空間を内部に画定する空間画定部とを備える。それぞれの前記スピーカユニット対は、二つのスピーカユニットを有する。それぞれの前記スピーカユニットは、二つの面を有する振動板と、電気信号を入力して前記振動板を駆動するドライバユニットとを有する。すべての前記ドライバユニットは、同位相又は逆位相の同一の電気信号を入力する。それぞれの前記スピーカユニット対において、二つの前記ドライバユニットが互いに背中合わせに配置され、同位相の同一の電気信号を入力することにより、二つの前記振動板の駆動によって発生する反力が打ち消し合う。前記密閉空間のうち少なくとも二つは、それぞれ、二つ以上の境界振動板を有する。それぞれの前記境界振動板は、前記振動板のいずれかであり、一方の面が前記密閉空間の内側に面し、他方の面が前記密閉空間の外側に面して配置されている。いずれかの境界振動板が前記密閉空間の外側へ向けて駆動されたとき、前記密閉空間の外側へ向けて駆動される境界振動板と、前記密閉空間の内側へ向けて駆動される境界振動板とが同数であり、これにより、前記振動板が駆動されても、前記密閉空間の体積が変化しない。
前記スピーカユニット対のうちの二つは、露出スピーカユニット対であってもよい。それ以外のスピーカユニット対は、密閉スピーカユニット対であってもよい。それぞれの前記露出スピーカユニット対は、二つのスピーカユニットのうち少なくとも一つが、露出スピーカユニットであってもよい。前記密閉スピーカユニット対は、二つの前記スピーカユニットが、密閉スピーカユニットであってもよい。前記露出スピーカユニットは、前記振動板の少なくともいずれかの面が外部に露出してもよい。前記密閉スピーカユニットは、前記振動板の二つの面が、同一の又は異なる前記密閉空間の内側に面していてもよい。
二つの前記露出スピーカユニット対は、前記スピーカユニット対のうち最も離れて配置されていてもよい。
隣接する二つの前記スピーカユニット対は、逆位相の同一の電気信号を入力してもよい。
前記スピーカユニット対は、一列に並べて配置されていてもよい。
前記スピーカユニット対は、前記ドライバユニットが前記振動板を駆動する方向とは異なる方向に並べて配置されていてもよい。
スピーカは、三つ以上のスピーカユニットと、二つ以上の密閉空間を内部に画定する空間画定部とを備えてもよい。それぞれの前記スピーカユニットは、振動板と、電気信号を入力して前記振動板を駆動するドライバユニットとを有してもよい。すべての前記ドライバユニットは、同一の電気信号を入力してもよい。前記スピーカユニットは、前記ドライバユニットが前記振動板を駆動する方向に一列に並べて配置されてもよい。前記密閉空間のうち少なくとも二つは、それぞれ、二つの境界振動板を有してもよい。二つの前記境界振動板は、前記振動板のうち、隣接して配置された二つの振動板であってもよい。それぞれの前記境界振動板は、互いに対向する内側の面が前記密閉空間の内側に面していてもよい。他方の面が前記密閉空間の外側に面して配置され、これにより、前記振動板が駆動されても、前記密閉空間の体積が変化しなくてもよい。前記振動板のうち、一番外側に配置された二つの振動板は、外側の面が外部に露出してもよい。それ以外の前記振動板は、二つの面が、異なる前記密閉空間の内側に面していてもよい。
【発明の効果】
【０００６】
前記スピーカによれば、密閉空間の体積が変化しないので、振動板の背圧が打ち消される。これにより、最低共振周波数が低くなるので、低音特性が改善される。
また、ドライバユニットの反力が打ち消されるので、低音特性が更に改善される。
【図面の簡単な説明】
【０００７】
【図１】第一のスピーカの例を示す正面図。
【図２】前記第一のスピーカを示すＩＩ−ＩＩ端面図。
【図３】第二のスピーカの例を示す端面図。
【図４】第三のスピーカの例を示す正面図。
【図５】前記第三のスピーカを示すＶ−Ｖ端面図。
【図６】第四のスピーカの例を示す端面図。
【図７】第五のスピーカの例を示す端面図。
【図８】第六のスピーカの例を示す端面図。
【図９】第七のスピーカの例を示す端面図。
【図１０】第八のスピーカの例を示す端面図。
【図１１】第九のスピーカの例を示す端面図。
【図１２】第十のスピーカの例を示す端面図。
【発明を実施するための形態】
【０００８】
同一又は類似の要素が複数ある場合、数字からなる符号でそれらを総称するとともに、数字の後ろにアルファベット小文字を付して区別する。
【０００９】
＜実施形態１＞
図１及び２に示すように、スピーカ１０Ｅは、本体１２と、十二個のスピーカユニット１３とを備える。
前記本体１２は、空間画定部の一例であり、内部に五つの内部空間２２を画定する。前記本体１２は、例えば、長方形の板を組み合わせて形成されている。
十二個の前記スピーカユニット１３は、すべて同一である。
それぞれの前記スピーカユニット１３は、振動板３１と、ドライバユニット３２とを有する。
前記振動板３１は、表側の面と、裏側の面とを有する。
前記ドライバユニット３２は、前記振動板３１の裏側にあり、電気信号を入力して、前記振動板３１を、表裏方向へ向けて駆動する。
【００１０】
十二個の前記スピーカユニット１３は、二つずつ対をなし、六つのスピーカユニット対を形成している。それぞれの前記スピーカユニット対において、二つの前記ドライバユニット３２は、常に同位相で同一の電気信号を入力するよう配線されている。これにより、一方の前記スピーカユニット１３において、前記ドライバユニット３２が前記振動板３１を表側へ向けて駆動するときは、他方の前記スピーカユニット１３でも、前記ドライバユニット３２が前記振動板３１を表側へ向けて駆動し、一方の前記スピーカユニット１３において、前記ドライバユニット３２が前記振動板３１を裏側へ向けて駆動するときは、他方の前記スピーカユニット１３でも、前記ドライバユニット３２が前記振動板３１を裏側へ向けて駆動する。
また、二つの前記スピーカユニット１３は、前記ドライバユニット３２が互いに背中合わせになるように配置されている。これにより、前記ドライバユニット３２が前記振動板３１を駆動することによって発生する反力が、互いに打ち消し合い、反力の影響を除去することができる。
【００１１】
前記本体１２には、外部と内部空間２２との間を接続する二つの穴と、二つの内部空間２２の間を接続する四つの穴とが設けられている。
前記スピーカユニット１３ａの前記振動板３１ａは、境界振動板及び露出振動板の一例であり、前記内部空間２２ａと前記本体１２の外部との間の境界に配置されている。すなわち、前記振動板３１ａは、前記内部空間２２ａと前記本体１２の外部との間を接続する前記穴のなかに固定され、前記穴を塞いでいる。前記振動板３１ａは、裏側の面が内部空間２２ａに面し、表側の面が前記本体１２の外部に露出している。
前記スピーカユニット１３ｂの前記振動板３１ｂは、境界振動板及び密閉振動板の一例であり、二つの前記内部空間２２ａ，２２ｂの間の境界に配置されている。すなわち、前記振動板３１ｂは、二つの前記内部空間２２ａ，２２ｂの間を接続する前記穴のなかに固定され、前記穴を塞いでいる。前記振動板３１ｂは、表側の面が内部空間２２ｂに面し、裏側の面が内部空間２２ａに面している。
これにより、内部空間２２ａは、内側と外側とを接続する穴がすべて塞がれ、密閉されている。
前記スピーカユニット１３ｃの前記振動板３１ｃは、境界振動板及び密閉振動板の一例であり、二つの前記内部空間２２ｂ，２２ｃの間の境界に配置されている。すなわち、前記振動板３１ｃは、二つの前記内部空間２２ｂ，２２ｃの間を接続する前記穴のなかに固定され、前記穴を塞いでいる。前記振動板３１ｃは、表側の面が内部空間２２ｂに面し、裏側の面が内部空間２２ｃに面している。
これにより、内部空間２２ｂは、内側と外側とを接続する穴がすべて塞がれ、密閉されている。
前記スピーカユニット１３ｄの前記振動板３１ｄは、境界振動板及び密閉振動板の一例であり、二つの前記内部空間２２ｃ，２２ｄの間の境界に配置されている。すなわち、前記振動板３１ｄは、二つの前記内部空間２２ｃ，２２ｄの間を接続する前記穴のなかに固定され、前記穴を塞いでいる。前記振動板３１ｄは、表側の面が内部空間２２ｄに面し、裏側の面が内部空間２２ｃに面している。
これにより、内部空間２２ｃは、内側と外側とを接続する穴がすべて塞がれ、密閉されている。
前記スピーカユニット１３ｅの前記振動板３１ｅは、境界振動板及び密閉振動板の一例であり、二つの前記内部空間２２ｄ，２２ｅの間の境界に配置されている。すなわち、前記振動板３１ｅは、二つの前記内部空間２２ｄ，２２ｅの間を接続する前記穴のなかに固定され、前記穴を塞いでいる。前記振動板３１ｅは、表側の面が内部空間２２ｄに面し、裏側の面が内部空間２２ｅに面している。
これにより、内部空間２２ｄは、内側と外側とを接続する穴がすべて塞がれ、密閉されている。
前記スピーカユニット１３ｆの前記振動板３１ｆは、境界振動板及び露出振動板の一例であり、前記内部空間２２ｅと前記本体１２の外部との間の境界に配置されている。すなわち、前記振動板３１ｆは、前記内部空間２２ｅと前記本体１２の外部との間を接続する前記穴のなかに固定され、前記穴を塞いでいる。前記振動板３１ｆは、裏側の面が内部空間２２ｅに面し、表側の面が前記本体１２の外部に露出している。
これにより、内部空間２２ｅは、内側と外側とを接続する穴がすべて塞がれ、密閉されている。
【００１２】
前記スピーカユニット１３ｐの前記振動板３１ｐ、及び、前記スピーカユニット１３ｑの前記振動板３１ｑは、密閉振動板の一例であり、前記内部空間２２ａのなかに配置されている。
前記スピーカユニット１３ｒの前記振動板３１ｒ、及び、前記スピーカユニット１３ｓの前記振動板３１ｓは、密閉振動板の一例であり、前記内部空間２２ｃのなかに配置されている。
前記スピーカユニット１３ｔの前記振動板３１ｔ、及び、前記スピーカユニット１３ｕの前記振動板３１ｕは、密閉振動板の一例であり、前記内部空間２２ｅのなかに配置されている。
【００１３】
前記本体１２の外部の空気は、二つの前記露出振動板３１ａ，３１ｆによって振動させられる。前記スピーカ１０Ｅの使用者は、前記振動板３１ａの左側で、前記振動板３１ａで発生した音を聴く。前記振動板３１ｆは、前記スピーカ１０Ｅの反対側にあり、前記振動板３１ａから最も離れているので、前記振動板３１ａで発生した音が、前記振動板３１ｆで発生した音によって打ち消されることはない。なお、前記振動板３１ａで発生した音が、使用者のほうへ向かうよう、前記振動板３１ａの正面に反射板を設けてもよい。
【００１４】
前記スピーカユニット１３ａの前記ドライバユニット３２ａ、前記スピーカユニット１３ｃの前記ドライバユニット３２ｃ、及び、前記スピーカユニット１３ｅの前記ドライバユニット３２ｅは、常に同位相で同一の電気信号が入力されるよう配線されている。
また、前記スピーカユニット１３ｂの前記ドライバユニット３２ｂ、前記スピーカユニット１３ｄの前記ドライバユニット３２ｄ、及び、前記スピーカユニット１３ｆの前記ドライバユニット３２ｆにも、常に同位相で同一の電気信号が入力されるよう配線されている。
そして、前記ドライバユニット３２ａ，３２ｃ，３２ｅに入力される電気信号と、前記ドライバユニット３２ｂ，３２ｄ，３２ｆに入力される電気信号とは、同一であるが逆位相になるよう配線されている。
例えば、前記ドライバユニット３２ａ，３２ｂ，３２ｃ，３２ｄ，３２ｅ，３２ｆは、直列に配線する。ただし、前記ドライバユニット３２ｂ，３２ｄ，３２ｆについては、前記ドライバユニット３２ａ，３２ｃ，３２ｅとは逆極性に配線する。
【００１５】
これにより、前記ドライバユニット３２ａが前記振動板３１ａを表側へ向けて駆動するときは、前記ドライバユニット３２ｂが前記振動板３１ｂを裏側へ向けて駆動し、前記ドライバユニット３２ａが前記振動板３１ａを裏側へ向けて駆動するときは、前記ドライバユニット３２ｂが前記振動板３１ｂを表側へ向けて駆動する。したがって、前記内部空間２２ａの体積は、常に一定に保たれる。前記内部空間２２ａの体積が常に一定なので、内部空間２２ａのなかの空気が圧縮したり膨張したりせず、前記振動板３１ａは、前記内部空間２２ａのなかの空気の抵抗を受けることなく、移動することができる。
内部空間２２ｂ，２２ｃ，２２ｄ，２２ｅについても同様である。したがって、前記振動板３１ｂ，３１ｃ，３１ｄ，３１ｅも、同様に、前記内部空間２２ｂ，２２ｃ，２２ｄ，２２ｅのなかの空気の抵抗を受けることなく、移動することができる。
【００１６】
別の言い方をすると、内部空間を細かく分割して、それぞれの内部空間の体積を小さくし、内部空間の間の境界部分に振動板を設けて、内部空間内における空気の移動を助けている。
これにより、スピーカ１０Ｅの最低共振周波数を大幅に小さくすることができる。
それに加えて、ドライバユニット３２の反力を相殺してその影響を除去しているので、音の再現性が非常に高くなる。
【００１７】
また、逆位相の電気信号を入力する二つのドライバユニット３２で発生する誘導起電力が互いに相殺されるので、スピーカ１０Ｅ全体での誘導起電力の合計がほぼゼロになり、音の再現性が高くなる。
【００１８】
＜実施形態２＞
スピーカ１０Ｆは、前記スピーカ１０Ｅと類似しているので、重複する説明は省略する。
図３に示すように、前記スピーカ１０Ｆは、本体１２と、十個のスピーカユニット１３とを備える。このように、このように、前記スピーカユニット１３の数は、十二個に限らず、十個でもよい。
前記本体１２は、内部に九つの内部空間２２を画定する。
前記スピーカ１０Ｅと比較すると、三つの前記内部空間２２ａ，２２ｐ，２２ｑが、前記スピーカ１０Ｅにおける前記内部空間２２ａに相当する。
前記スピーカユニット１３ｐは、前記内部空間２２ｐのなかに配置されている。前記スピーカユニット１３ｐの前記ドライバユニット３２ｐは、前記内部空間２２ａ，２２ｐの間を隔てる隔壁を挟んで、前記スピーカユニット１３ａの前記ドライバユニット３２ａと背中合わせに配置されている。このように、二つの前記ドライバユニット３２ａ，３２ｐの間に隔壁が存在しても、前記ドライバユニット３２ａ，３２ｐの反力を相殺することができる。
同様に、前記スピーカユニット１３ｑは、前記内部空間２２ｑのなかに配置されている。前記スピーカユニット１３ｑの前記ドライバユニット３２ｑは、前記内部空間２２ａ，２２ｑの間を隔てる隔壁を挟んで、前記スピーカユニット１３ｂの前記ドライバユニット３２ｂと背中合わせに配置されている。
【００１９】
同様に、三つの内部空間２２ｃ，２２ｒ，２２ｓが、前記スピーカ１０Ｅにおける前記内部空間２２ｃに相当し、前記スピーカユニット１３ｒは、前記内部空間２２ｒのなかに配置され、前記スピーカユニット１３ｓは、前記内部空間２２ｓのなかに配置されている。
【００２０】
前記スピーカ１０Ｅと比較すると、前記内部空間２２ａ，２２ｃの体積が小さくなっているので、前記内部空間２２ａ，２２ｃの内部で過渡的な圧力のムラが生じるのを抑えることができ、振動板３１ａ，３１ｂ，３１ｃ，３１ｄに対する空気抵抗を更に小さくすることができる。
【００２１】
前記スピーカユニット１３ｔは、前記内部空間２２ｔのなかに配置されている。
前記内部空間２２ｐ，２２ｑ，２２ｒ，２２ｓ，２２ｔは、境界振動板を持たず、常に一定の体積を有する。
【００２２】
前記本体１２の外部の空気は、二つの前記露出振動板３１ａ，３１ｅによって振動させられる。前記スピーカ１０Ｆの使用者は、前記振動板３１ａの正面で、前記振動板３１ａで発生した音を聴く。前記振動板３１ｅは、前記スピーカ１０Ｆの反対側にあり、前記振動板３１ａから最も離れているので、前記振動板３１ａで発生した音が、前記振動板３１ｅで発生した音によって打ち消されることはない。
【００２３】
＜実施形態３＞
スピーカ１０Ｇは、前記スピーカ１０Ｆに類似しているので、重複する説明は省略する。
図４及び５に示すように、前記スピーカ１０Ｇは、本体１２と、十個のスピーカユニット１３とを備える。
前記本体１２は、内部に五つの内部空間２２を画定する。
前記スピーカ１０Ｆｔｏ比較すると、前記内部空間２２ｐが、前記スピーカ１０Ｆにおける五つの前記内部空間２２ｐ，２２ｑ，２２ｒ，２２ｓ，２２ｔに相当する。
また、前記内部空間２２ａは、体積がなるべく小さくなるように、円筒形状や円錐形状を組み合わせて、スピーカユニット１３ａ，１３ｂに沿った形状に形成されている。
前記内部空間２２ｂ，２２ｃ，２２ｄについても、同様である。
【００２４】
このように、前記内部空間２２ａ，２２ｂ，２２ｃ，２２ｄの体積を更に小さくすることにより、振動板３１ａ，３１ｂ，３１ｃ，３１ｄに対する空気抵抗を更に小さくすることができる。
【００２５】
＜実施形態４＞
スピーカ１０Ｈは、前記スピーカ１０Ｅに類似しているので、重複する説明は省略する。
図６に示すように、前記スピーカ１０Ｈは、本体１２と、八つのスピーカユニット１３とを備える。このように、前記スピーカユニット１３の数は、八つでもよい。
前記本体１２は、内部に三つの内部空間２２を画定する。
前記スピーカユニット１３ｄの振動板３１ｄは、境界振動板及び露出振動板の一例であり、前記内部空間２２ｃと前記本体１２の外部との間の境界に配置され、裏側の面が内部空間２２ｃに面し、裏側の面が前記本体１２の後側で外部に露出している。
【００２６】
前記スピーカ１０Ｊの使用者は、前記振動板３１ａの正面で、前記振動板３１ａで発生した音を聴いてもよいし、前記振動板３１ｄの正面で、前記振動板３１ｄで発生した音を聴いてもよい。すなわち、前記スピーカ１０Ｊは、前後両方向へ向けて音を発することができる。
【００２７】
＜実施形態５＞
スピーカ１０Ｊは、前記スピーカ１０Ｆに類似しているので、重複する説明は省略する。
図７に示すように、前記スピーカ１０Ｊは、本体１２と、十個のスピーカユニット１３とを備える。
前記本体１２は、内部に八つの内部空間２２を画定する。
前記スピーカ１０Ｊと異なり、後側の前記スピーカユニット１３ｐ，１３ｑ，１３ｒ，１３ｓ，１３ｔについても、前側の前記スピーカユニット１３ａ，１３ｂ，１３ｃ，１３ｄ，１３ｅと同様の構成としている。
すなわち、前記スピーカユニット１３ｐの前記振動板３１ｐは、前記内部空間２２ｐと前記本体１２の外部との間の境界に配置されて、裏側の面が内部空間２２ｐに面し、表側の面が前記本体１２の外部に露出している。
前記スピーカユニット１３ｑの前記振動板３１ｑは、二つの前記内部空間２２ｐ，２２ｑの間の境界に配置され、表側の面が内部空間２２ｑに面し、裏側の面が内部空間２２ｐに面している。
前記スピーカユニット１３ｒの前記振動板３１ｒは、二つの前記内部空間２２ｑ，２２ｒの間の境界に配置され、表側の面が内部空間２２ｑに面し、裏側の面が内部空間２２ｒに面している。
前記スピーカユニット１３ｓの前記振動板３１ｓは、二つの前記内部空間２２ｒ，２２ｓの間の境界に配置され、表側の面が内部空間２２ｓに面し、裏側の面が内部空間２２ｒに面している。
前記スピーカユニット１３ｔの前記振動板３１ｔは、前記内部空間２２ｓと前記本体１２の外部との間の境界に配置され、表側の面が内部空間２２ｓに面し、裏側の面が前記本体１２の外部に露出している。
【００２８】
前記スピーカ１０Ｊの使用者は、前記振動板３１ａ，３１ｐの左側で、前記振動板３１ａ，３１ｐで発生した音を聴く。前記振動板３１ｅ，３１ｔは、前記スピーカ１０Ｊの反対側にあり、前記振動板３１ａ，３１ｐから最も離れているので、前記振動板３１ａ，３１ｐで発生した音が、前記振動板３１ｅ，３１ｔで発生した音によって打ち消されることはない。
このように、後側のスピーカユニット１３を、単に反力の相殺用として使用するだけではなく、音の再生用としても使用してもよい。
【００２９】
＜実施形態６＞
スピーカ１０Ｋは、前記スピーカ１０Ｅと類似しているので、重複する説明は省略する。
図８に示すように、前記スピーカ１０Ｋは、本体１２と、十二個のスピーカユニット１３とを備える。このように、前記スピーカユニット１３の数は、十個に限らず、十二個でもよい。
前記スピーカユニット１３ａ，１３ｑ，１３ｃ，１３ｓ，１３ｅ，１３ｕは、左方向へ向いている。前記スピーカユニット１３ｐ，１３ｂ，１３ｒ，１３ｄ，１３ｔ，１３ｆは、右方向へ向いている。すなわち、前記スピーカユニット１３は、横方向ではなく、縦方向に並べて配置されている。
前記スピーカユニット対のなかで反力が相殺されているので、前記スピーカユニット対を配置する向きを変えても、その影響が出ることはない。
【００３０】
＜実施形態７＞
スピーカ１０Ｌは、前記スピーカ１０Ｋと類似しているので、重複する説明は省略する。
図９に示すように、前記スピーカ１０Ｌは、本体１２と、十個のスピーカユニット１３とを備える。
前記スピーカユニット１３ａ，１３ｂ，１３ｃ，１３ｄ，１３ｅは、左方向へ向いている。前記スピーカユニット１３ｐ，１３ｑ，１３ｒ，１３ｓ，１３ｔは、右方向へ向いている。
前記スピーカユニット１３ｂの振動板３１ｂは、表側の面が内部空間２２ａに面し、裏側の面が内部空間２２ｂに面している。
前記スピーカユニット１３ｄの振動板３１ｄは、表側の面が内部空間２２ｃに面し、裏側の面が内部空間２２ｄに面している。
すべてのスピーカユニット１３は、常に同位相で同一の電気信号を入力するよう配線されている。これにより、前記内部空間２２ａ，２２ｂ，２２ｃ，２２ｄの体積は、常に一定に保たれる。
【００３１】
＜実施形態８＞
スピーカ１０Ｍは、前記スピーカ１０Ｌと類似しているので、重複する説明は省略する。
図１０に示すように、前記スピーカ１０Ｍは、本体１２と、八つのスピーカユニット１３とを備える。
前記本体１２は、内部に五つの内部空間２２を画定する。
前記スピーカユニット１３ｐ，１３ｒは、前記内部空間２２ｐのなかに配置されている。前記スピーカユニット１３ｑ，１３ｓは、前記内部空間２２ｑのなかに配置されている。
また、スピーカユニット１３を配置する向きをバラバラにしている。
これにより、前記内部空間２２ａ，２２ｂ，２２ｃの体積が更に小さくなる。
【００３２】
＜実施形態９＞
スピーカ１０Ｎは、前記スピーカ１０Ｊと類似しているので、重複する説明は省略する。
図１１に示すように、前記スピーカ１０Ｈは、本体１２と、八つのスピーカユニット１３とを備える。
前記本体１２は、内部に七つの内部空間２２を画定する。
なお、図１１では、内部空間２２ｄが左右に分かれて描かれているが、この二つは、背後で連通して、一つの内部空間２２ｄを形成している。
このように、後側のスピーカユニット１３を、音の再生用とし、一系統に結合してもよい。
【００３３】
＜実施形態１０＞
スピーカ１０Ｐは、前記スピーカ１０Ｌと類似しているので、重複する説明は省略する。
前記本体１２は、内部に五つの内部空間２２を画定する。
スピーカユニット１３は、スピーカユニット対を形成していない。
このように、反力相殺用のスピーカユニット１３を省略することにより、内部空間２２の体積を更に小さくすることができる。
【００３４】
以上説明した実施形態は、本発明の理解を容易にするための一例である。本発明は、これに限定されるものではなく、添付の特許請求の範囲によって定義される範囲から逸脱することなく様々に修正し、変更し、追加し、又は除去したものを含む。これは、以上の説明から当業者に容易に理解することができる。
【符号の説明】
【００３５】
１０Ｅ〜１０Ｐ  スピーカ、１２  本体、１３  スピーカユニット、２２  内部空間、３１  振動板、３２  ドライバユニット。
【図１】
2019121984.tif 000003
【図２】
2019121984.tif 000004
【図３】
2019121984.tif 000005
【図４】
2019121984.tif 000006
【図５】
2019121984.tif 000007
【図６】
2019121984.tif 000008
【図７】
2019121984.tif 000009
【図８】
2019121984.tif 000010
【図９】
2019121984.tif 000011
【図１０】
2019121984.tif 000012
【図１１】
2019121984.tif 000013
【図１２】
2019121984.tif 000014